(57)【特許請求の範囲】
【請求項１】
加熱により上昇する内部蒸気圧が自動的開口によって通過する通気孔構造部を上部に有する電子レンジ用パウチの収納される包装箱であって、偏平な四角筒状胴部を形成するそれぞれ矩形状の側面板、正面板、側面板、背面板が折線を介して順設されるとともに、前記四角筒状胴部の上端及び下端を閉塞する天面板及び底面板が折線を介して一体に設けられ、前記背面板には、該背面板の上下端折線間の上端寄りで且つ該背面板の両側端間の略中央部に前記上下端折線と平行な第一折り曲げ線と、該第一折り曲げ線の上部に所定の間隔を有し且つ前記第一折り曲げ線と平行な第二折り曲げ線と、前記第一折り曲げ線の両端から発し前記第二折り曲げ線の両端に到る互いに平行或いは逆ハ字状の背面板第一切断予定線と該背面板第一切断予定線に連続し且つ前記第二折り曲げ線の両端から前記第一折り曲げ線に略平行に伸びそれぞれ前記背面板の両側端に到る背面板第二切断予定線とからなる背面板切断予定線とが刻設されるとともに、前記第一折り曲げ線と前記第二折り曲げ線と前記背面板第一切断予定線とで区画される折り返し板が設けられ、前記正面板には、該正面板の前記上下端折線間の上端寄りに、前記第一折り曲げ線および前記第二折り曲げ線に略平行で且つ前記正面板を横断する正面板切断予定線が刻設され、前記両側面板には前記正面板切断予定線の両端から発し前記背面板切断予定線の両端に到る側面板切断予定線を刻設したことを特徴とする電子レンジ用パウチ包装箱。
【請求項２】
前記折り返し板を区画する前記第一折り曲げ線と前記第二折り曲げ線との間の長さが、前記側面板切断予定線の両端を直線で結んだ長さの少なくとも半分を超える長さであることを特徴とする請求項１に記載の電子レンジ用パウチ包装箱。
【請求項３】
前記正面板切断予定線が互いに平行な二本の破断線と該破断線それぞれの両端を繋ぐ垂直切断線から形成されるジッパー部であることを特徴とする請求項１または２のいずれかに記載の電子レンジ用パウチ包装箱。
【請求項４】
前記正面板切断予定線が、前記正面板の上下端折線間の上端寄りを水平に横断する正面板第一切断予定線と該正面板第一切断予定線の両端から伸び該正面板第一切断予定線に垂直な垂直切断線と、該垂直切断線の両下端間を連結し前記正面板の下端方向に膨出する形状の正面第二切断予定線とから形成されるジッパー部であることを特徴とする請求項１または２のいずれかに記載の電子レンジ用パウチ包装箱。
【発明の詳細な説明】
【技術分野】
【０００１】
本発明は、食品等が封入されたパウチを包装する外装箱に関し、特に電子レンジを用いて加熱調理される食品封入パウチを収納するとともに、調理補助具として機能する包装箱に関する。
【背景技術】
【０００２】
流動性食品を合成樹脂フィルムからなる包装袋に充填・封入した調理済み食品は、前記包装袋（以下、パウチと記載）のみで流通・販売に供されることもあるが、パウチの保形性や表示等のデザイン性、及び衛生面などから、偏平な外装用包装箱に収納されて、流通・販売に供されている。
【０００３】
従来、前述したパウチ入り食品の再加熱調理には、鍋等の調理器具にて加熱・沸騰させた湯に、パウチを浸漬する湯煎法が多く用いられていた。また電子レンジによる再加熱調理にあたっては、加熱によって内容物が膨張しパウチを破裂させることがないよう、予め別の容器に移し変えて再加熱調理を行っていた。最近では、パウチの材質面や構造面の改良により、内容物を封入したままで電子レンジによる再加熱調理を行うことが出来るパウチも多数使用されている。このうち、加熱により上昇するパウチ内部蒸気圧が自動的開口によって通過する通気孔構造部を設けたパウチも提案されているが、電子レンジ内に平坦に載置された場合には、液体内容物が通気孔構造部から洩れ出してレンジ内部を汚したり、パウチを直立型パウチとした場合、取り扱いの操作性は良いが、転倒し易いという欠点があった。
【０００４】
このため、外装用包装箱を利用或いは加工して、パウチを補助し自立させて電子レンジ内での加熱調理を可能とする構造が、種々提案されている。このうち「電子レンジ加熱パウチの外包装に使用される扁平箱形の化粧箱において、箱の上面に剥離片切り取り線、箱の両側面に該剥離片切り取り線に接続する側面切り取り線、箱の底面に該側面切り取り線に接続する折り線及び該折り線に接続するパウチ支持部切り取り線をそれぞれ形成した電子レンジ加熱パウチ用化粧箱」であって、「剥離片切り取り線を用いて剥離し、化粧箱の剥離部の片側を回動させると、化粧箱の底面に設けられた折り線から底面が折り曲げられるとともに、パウチ支持部が切り取り線に沿って切り取られ、化粧箱の回動された部分の上面に突出するように形成される」ものであり、「きわめて簡単に化粧箱内部に収容した電子レンジ加熱パウチを安定な状態で自立させて保持することができ」、「電子レンジ加熱時における内容物の漏出を完全に防止できる」効果を有する「電子レンジ加熱パウチ用化粧箱」が提案されている（例えば、特許文献１参照）。
【特許文献１】特開２００３−１７０９３０号公報
【０００５】
前記文献記載の電子レンジ加熱パウチ用化粧箱では、化粧箱の底面に形成される折り線の位置を下げれば、化粧箱の回動される片側部分の寸法が大きくなることによって傾斜角度が大きくなり、化粧箱に保持されるパウチの自動開口機構を高い位置に保持できるので、自動開口機構からの内容物の漏出を防止し易くなるが、半面、箱の開封の為の回動操作が行い難くなる、すなわち収納されたパウチが引っ掛かり抵抗となって回動できなくなる為、実質的に折り線の形成位置を下げることが出来ず、傾斜角度を大きくし難いという欠点や、パウチ支持部が箱の底面の一部すなわち幅方向略中央部を切り取って形成される平板なものである為、箱の撓みや箱の湿潤化とパウチの重さや加熱時のパウチの膨張変形によるパウチ支持部の箱内への没入が起こり易く、支持部の没入によって傾斜状態が維持できなくなったり、またパウチの幅方向両端には支持部が形成し難いため、パウチの保持が不安定になり易いという欠点があった。
【発明の開示】
【発明が解決しようとする課題】
【０００６】
そこで、本発明の目的は、上記問題を解決するためになしたものであり、加熱により上昇する内部蒸気圧が自動的開口によって通過する通気孔構造部を上部に有する電子レンジ用パウチが収納される偏平な外装用包装箱であって、開封に際し、収納されたパウチが引っ掛かることなく仰開型に開封することが出来、且つ加熱調理時におけるパウチの前記通気孔位置を内容物の漏出等が発生しない高さで保持するとともに、パウチの傾斜保持状態を安定的に保つことの出来る調理補助具として形成可能な電子レンジ用パウチ包装箱を提供する。
【課題を解決するための手段】
【０００７】
上記課題を解決するため、請求項１の発明は、加熱により上昇する内部蒸気圧が自動的開口によって通過する通気孔構造部を上部に有する電子レンジ用パウチの収納される包装箱であって、偏平な四角筒状胴部を形成するそれぞれ矩形状の側面板、正面板、側面板、背面板が折線を介して順設されるとともに、前記四角筒状胴部の上端及び下端を閉塞する天面板及び底面板が折線を介して一体に設けられ、前記背面板には、該背面板の上下端折線間の上端寄りで且つ該背面板の両側端間の略中央部に前記上下端折線と平行な第一折り曲げ線と、該第一折り曲げ線の上部に所定の間隔を有し且つ前記第一折り曲げ線と平行な第二折り曲げ線と、前記第一折り曲げ線の両端から発し前記第二折り曲げ線の両端に到る互いに平行或いは逆ハ字状の背面板第一切断予定線と該背面板第一切断予定線に連続し且つ前記第二折り曲げ線の両端から前記第一折り曲げ線に略平行に伸びそれぞれ前記背面板の両側端に到る背面板第二切断予定線とからなる背面板切断予定線とが刻設されるとともに、前記第一折り曲げ線と前記第二折り曲げ線と前記背面板第一切断予定線とで区画される折り返し板が設けられ、前記正面板には、該正面板の前記上下端折線間の上端寄りに、前記第一折り曲げ線および前記第二折り曲げ線に略平行で且つ前記正面板を横断する正面板切断予定線が刻設され、前記両側面板には前記正面板切断予定線の両端から発し前記背面板切断予定線の両端に到る側面板切断予定線を刻設したことを特徴とする電子レンジ用パウチ包装箱である。
【０００８】
請求項２の発明は、前記折り返し板を区画する前記第一折り曲げ線と前記第二折り曲げ線との間の長さが、前記側面板切断予定線の両端を直線で結んだ長さの少なくとも半分を超える長さであることを特徴とする請求項１に記載の電子レンジ用パウチ包装箱である。
【０００９】
請求項３の発明は、前記正面板切断予定線が互いに平行な二本の破断線と該破断線それぞれの両端を繋ぐ垂直切断線から形成されるジッパー部であることを特徴とする請求項１または２のいずれかに記載の電子レンジ用パウチ包装箱である。
【００１０】
請求項４の発明は、前記正面板に設けられた正面板切断予定線が略水平な破断線による上辺と前記正面板の下端方向に膨出する形状の破断線による下辺と前記それぞれの破断線の両端を繋ぐ垂直切断線から形成されるジッパー部であることを特徴とする請求項１または２のいずれかに記載の電子レンジ用パウチ包装箱である。
【発明の効果】
【００１１】
本発明の電子レンジ用パウチ包装箱は、包装箱に設けた正面板切断予定線と側面板切断予定線との破断と、背面板切断予定線と第二折り曲げ線を支点として折り曲げ廻動するという一連の操作によって、収納されたパウチに引っ掛かるなどの不都合が起こらずに開封できるとともに、第一折り曲げ線の逆折り曲げと第二折り曲げ線の折り曲げによる傾斜支持部分の移動によって、傾斜角度が大きくなりパウチの通気孔位置が高く出来るという効果がある。
【００１２】
また同時に、パウチを保持する容体の背面板が両側面板から連続して折り曲げられた略塵取り型構造を有しているとともに、折り返し板を区画する第一折り曲げ線および第二折り曲げ線の間の長さが、前記側面板切断予定線両端間の長さの少なくとも半分を超える長さで形成されているので、パウチを保持する容体の背面板上部が蓋体による傾斜支持構造部を完全に跨いで載置され、前記背面板上部が折れ曲がったり、蓋体による傾斜支持構造部に没入するという不都合が生じず、且つパウチの幅方向両端もしっかり保持できる。
【００１３】
正面板切断予定線が略水平で平行する二本の破断線と該破断線それぞれの両端を接続する垂直切断線から形成されるジッパー部である包装箱では、正面板からの開封が容易に行えるばかりでなく、正面板切断予定線の下方に切り取られる部分があることにより、電子レンジによる加熱調理の際、パウチの膨張により容体部分に加えられる変形圧力を少なくすることが出来るので、包装箱の破壊や転倒を防止して、もってパウチからの内容物の漏出や電子レンジ庫内の汚損等を防ぐことが出来る。
【００１４】
さらに、正面板切断予定線が略水平な破断線による上辺と前記正面板下方に膨出する形状の破断線による下辺と前記それぞれの破断線の両端を接続する垂直切断線から形成されるジッパー部である包装箱では、電子レンジによる加熱調理において、前記正面板切断予定線の下方に膨出形状の切り取り部分があることにより、パウチの膨張による包装箱の極端な変形を防ぐ効果が大きくなって、包装箱の破壊や転倒を防止して、もってパウチからの内容物の漏出や電子レンジ庫内の汚損等を防ぐことが出来る。
【発明を実施するための最良の形態】
【００１５】
上記本発明について、図面等を用いて以下に詳述する。図１は本発明に係る電子レンジ用パウチ包装箱の実施例の展開平面図。図２（Ａ）は同じく実施例の製箱完了状態を示す斜視図。図２（Ｂ）は同じく実施例の製箱完了状態を背面から見た斜視図。図３は同じく実施例の開封後の傾斜保持状態を示す斜視図。図４は図３における説明用Ｘ−Ｘ線断面図である。
【００１６】
図１は本発明に係る電子レンジ用パウチ包装箱の実施例の展開平面図で、板紙などを打抜き加工して、偏平な四角筒状胴部を形成するそれぞれ矩形状の側面板１、正面板２、側面板３、背面板４及び貼着板５がそれぞれ折線Ｌ１、Ｌ２、Ｌ３、Ｌ４を介して順設され、前記側面板１、正面板２、側面板３、背面板４の上端及び下端にそれぞれ、折線Ｌ５、Ｌ６、Ｌ７、Ｌ８を介して耳片６ａ、重合天面板６ｂ、耳片６ｃ、重合天面板６ｄ及び折線Ｌ９、Ｌ１０、Ｌ１１、Ｌ１２を介して耳片７ａ、重合底面板７ｂ、耳片７ｃ、重合底面板７ｄが延設され、前記背面板４の上下端折線Ｌ８、Ｌ１２間の上端寄りで且つ背面板４の両側端間の略中央部に、上下端折線Ｌ８、Ｌ１２に平行な第一折り曲げ線１７と該第一折り曲げ線１７の上部に所定の間隔を有して平行な第二折り曲げ線１６と、前記第一折り曲げ線１７の両端から発しそれぞれ第二折り曲げ線１６の両端に到る上部に向かってやや拡がる逆ハ字状の背面板第一切断予定線１４及び１５と、該背面板第一切断予定線１４及び１５に連続し且つ前記第二折り曲げ線１６の両端からそれぞれ側面板切断予定線１１及び貼着板切断予定線１０´に向って略水平な背面板第二切断予定線１２及び１３を刻設して背面板切断予定線を形成するとともに、前記第一折り曲げ線１７と前記第二折り曲げ線１６と前記背面板第一切断予定線１４及び１５とで区画される折り返し板４ａが設けられ、前記正面板２の上下端折線Ｌ６、Ｌ１０間の略中央部上端寄りの位置を水平に横断する正面板第一切断予定線８ａと該正面板第一切断予定線８ａの両端からそれぞれ僅かに下降する垂直切断線９ａ及び９ｂと該垂直切断線９ａ及び９ｂの両下端間を連結し下端方向に膨出する形状の正面板第二切断予定線８ｂが刻設されてジッパー部２ａが区画形成されており、前記側面板１及び３には、前記正面板第一切断予定線８ａの両端と前記背面板第二切断予定線１２及び１３の両端とをそれぞれ連結し下端方向にやや彎曲した側面板切断予定線１０及び１１が刻設されているとともに、貼着板５に前記側面板切断予定線１０と対応する貼着板切断予定線１０´が刻設されて電子レンジ用パウチ包装箱ブランク板が構成されている。尚、前記折り返し板を区画する第一折り曲げ線１７および第二折り曲げ線１６間の長さは、前記側面板切断予定線１０或いは１１の両端を直線で結んだ長さの少なくとも半分を超える長さである。又、前記正面板第二切断予定線８ｂは下辺方向に彎曲した形状であるが、これに限定されるものでは無く、例えば直線状の組合せによる略Ｖ字状や中央に水平部を設けた略台形状とすることも出来る。
【００１７】
図２（Ａ）は同じく本発明に係る電子レンジ用パウチ包装箱の実施例の製箱完了状態を示す斜視図。図２（Ｂ）は同じく実施例の製箱完了状態を背面から見た斜視図で、前項記載のブランク板を折線Ｌ１、Ｌ２、Ｌ３、Ｌ４を用いて折り曲げ、側面板１と貼着板５を貼着して偏平な四角筒状胴部を形成し、折線Ｌ９、Ｌ１１を用いて耳片７ａ、７ｃを折り曲げた後、折線Ｌ１２、Ｌ１０を用いて重合底面板７ｄ、７ｂを折り曲げるとともに貼着して底面を閉鎖形成し、後述する内容物すなわち食品等の充填された電子レンジ用パウチを投入、収納した後、折線Ｌ５、Ｌ７を用いて耳片６ａ、６ｃを折り曲げた後、折線Ｌ８、Ｌ６を用いて重合天面板６ｄ、６ｂを折り曲げるとともに貼着して天面を閉鎖形成して電子レンジ用パウチ包装箱Ｐの製箱が完了した状態を示しており、通常、前記製箱完了状態及び段ボール箱に集積箱詰め状態にて輸送、店頭展示、販売に供されるものであるので、包装箱表面に刻設された切断予定線は、例えば正面板切断予定線８ａ、８ｂにおいては鉤状破断線によるジッパー形状が用いられ、側面板切断予定線１０、１１及び背面板切断予定線１２、１３、１４、１５においてはミシン目状破断線或いは複数箇所に刃止め部分（切断部を削除した部分）を有する切断線を用いて、前記輸送、展示、販売時点での、包装箱の破損や不用意な開封を防止している。
【００１８】
図３は本発明に係る電子レンジ用パウチ包装箱の実施例の使用状態を示す斜視図。図４は本発明に係る電子レンジ用パウチ包装箱の実施例の図３における説明用Ｘ−Ｘ線断面図で、本発明の電子レンジ用パウチ包装箱の使用にあたっては、ジッパー部２ａの垂直切断線９ａ側を把持して正面板２の横断方向に引裂き開封し、ジッパー部２ａを切除した後、側面板切断予定線１０及び１１を切断し、水平に連続する背面板切断予定線１２、第二折り曲げ線１６、背面板切断予定線１３で折り曲げることにより、包装箱下部を容体５２、包装箱上部を蓋体５１として仰開型に開放する。次に前記背面板切断予定線１２及び背面板切断予定線１３、並びに逆ハ字状切断予定線１４及び１５を切断した後、第一折り曲げ線１７を逆折り曲げするとともに第二折り曲げ線１６を折り曲げて、折り返し板４ａを背面板４の胴部に重ね合わすとともに、重合天面板６ｂを接地面とした倒立状態にある前記蓋体５１の切断開放部分に、背面板４の前記背面板切断予定線１２及び１３より下部近傍すなわち前記容体５２の背面板４上部が当接し、前記容体５２が折線Ｌ１２を接地面として傾斜状に載置され、同時に前記容体５２内に収納されたパウチＱも傾斜状態で、その上部に設けた通気孔Ｒも露出した高い位置にあって、再加熱調理可能な状態となる。尚、前記折り返し板４ａを区画する第一折り曲げ線１７及び第二折り曲げ線１６の間の長さは、前記側面板切断予定線１０或いは１１の直線状両端間の長さ、すなわち前記蓋体５１の切断開放部分に生じる傾斜状奥行き寸法の少なくとも半分を超える長さで形成されているので、前記容体５２の背面板４上部は前記蓋体５１の切断開放部分を必ず跨いで載置される。
【００１９】
本発明の電子レンジ用パウチ包装箱に収納される電子レンジ用パウチＱは、通常、ガスバリア性に優れ内面に熱接着層を有する多層のプラスチックフィルムからなり、周縁部を熱接着されて袋状に形成される所謂四方シール袋で、図３に上方部分が示されるように、パウチＱの上部には周縁熱接着部近傍で該熱接着部に隣接する位置に、一部に内圧による応力集中部を持ち通気孔Ｒを囲む熱接着部を有しており、加熱時に、充填された加工食品等からの蒸気によってパウチＱの内圧が上昇すると、内圧による応力集中部の熱接着部が剥離し、通気孔Ｒより蒸気による内圧を排出して、パウチＱの破裂等を防ぐとともに、破裂等による内容物の飛散や、電子レンジ内の汚損を防止するものである。この為、本発明の電子レンジ用パウチ包装箱Ｐに収納される際にも、パウチＱの上部に設けられた通気孔Ｒが、包装箱の開封時に露出するよう収納される必要がある。尚、パウチ内の蒸気による内圧の排出機構に関しては、前記実施形態に限定されるものではない。
【図面の簡単な説明】
【００２０】
【図１】本発明に係る電子レンジ用パウチ包装箱の実施例の展開平面図。
【図２】（Ａ）同じく実施例の斜視図。                  （Ｂ）同じく実施例を背面側から見た斜視図。
【図３】同じく実施例の使用状態を示す斜視図。
【図４】同じく実施例の図３における説明用Ｘ−Ｘ線断面図。
【符号の説明】
【００２１】
Ｐ              電子レンジ用パウチ包装箱
Ｑ              パウチ
Ｒ              通気孔
１              側面板
２              正面板
２ａ            ジッパー部
３              側面板
４              背面板
４ａ            折り返し板
５              貼着板
６ａ、６ｃ      耳片
６ｂ、６ｄ      重合天面板
７ａ、７ｃ      耳片
７ｂ、７ｄ      重合底面板
８              正面板切断予定線
８ａ            正面板第一切断予定線
８ｂ            正面板第二切断予定線
９ａ、９ｂ      垂直切断線
１０、１１      側面板切断予定線
１０´          貼着板切断予定線
１２、１３、１４、１５    背面板切断予定線
１２、１３      背面板第一切断予定線
１４、１５      背面板第二切断予定線
１６            第二折り曲げ線
１７            第一折り曲げ線
５１            蓋体
５２            容体
Ｌ１〜Ｌ１２    折線
【図１】
0004522782.tif 000002
【図２】
0004522782.tif 000003
【図３】
0004522782.tif 000004
【図４】
0004522782.tif 000005